(57)【要約】【課題】表示装置において画像の表示に有利な技術を提供する。【解決手段】１つの選択回路に１つの表示ブロックが対応するように複数の選択回路と複数の表示ブロックとが配される表示装置であって、複数の表示ブロックのそれぞれは、列方向に延在する複数の信号線と、複数の信号線の何れかにそれぞれ接続され、列方向および列方向と交差する行方向に行列状に配された複数の画素と、を含み、複数の選択回路のそれぞれは、複数の画素のうち行方向に並ぶ画素ごとに画像信号が書き込まれるように、複数の信号線のうち画像信号を供給する信号線を所定の順番で選択し、複数の信号線のうち少なくとも１つの信号線を選択し画像信号を供給する時間が、複数の信号線のうち少なくとも１つの信号線以外の信号線を選択し画像信号を供給する時間と異なる。【選択図】図５
2019200363.tif 000002
【特許請求の範囲】
【請求項１】
１つの選択回路に１つの表示ブロックが対応するように複数の選択回路と複数の表示ブロックとが配される表示装置であって、
前記複数の表示ブロックのそれぞれは、列方向に延在する複数の信号線と、前記複数の信号線の何れかにそれぞれ接続され、前記列方向および前記列方向と交差する行方向に行列状に配された複数の画素と、を含み、
前記複数の選択回路のそれぞれは、
前記複数の画素のうち前記行方向に並ぶ画素ごとに画像信号が書き込まれるように、前記複数の信号線のうち前記画像信号を供給する信号線を所定の順番で選択し、
前記複数の信号線のうち少なくとも１つの信号線を選択し前記画像信号を供給する時間が、前記複数の信号線のうち前記少なくとも１つの信号線以外の信号線を選択し前記画像信号を供給する時間と異なることを特徴とする表示装置。
【請求項２】
前記複数の選択回路のそれぞれは、前記複数の信号線のうち前記画像信号を供給する信号線を選択する切替部を含み、
前記切替部は、前記複数の信号線のうち前記画像信号を供給する信号線が選択される順番および前記複数の信号線のうち連続して選択される信号線に供給される前記画像信号の信号電圧の変化の少なくとも一方に応じて、前記複数の信号線のうち前記画像信号を供給する信号線を選択している時間を変化させることを特徴とする請求項１に記載の表示装置。
【請求項３】
前記複数の信号線は、前記複数の画素のうち発光色が互いに異なる画素にそれぞれ接続された第１の信号線および第２の信号線と、前記複数の画素のうち発光色が同じ画素にそれぞれ接続された第３の信号線および第４の信号線と、を含み、
前記第１の信号線の次に前記第２の信号線が選択され前記画像信号が供給される場合において前記第２の信号線が選択される時間が、前記第３の信号線の次に前記第４の信号線が選択され前記画像信号が供給される場合において前記第４の信号線が選択される時間よりも長いことを特徴とする請求項１または２に記載の表示装置。
【請求項４】
前記複数の画素は、同じ発光色の画素ごとに画素群を構成し、
前記複数の画素のうち１つの行に配された画素のそれぞれに前記画像信号を供給する期間において、前記複数の選択回路のそれぞれは、前記画素群ごとに、前記画素群に含まれる画素のそれぞれに所定の順番で前記画像信号が書き込まれるように、前記複数の信号線のうち前記画像信号を供給する信号線を選択することを特徴とする請求項３に記載の表示装置。
【請求項５】
前記画像信号の信号電圧の範囲が、前記画素群ごとに異なり、
前記複数の画素のうち１つの行に配された画素のそれぞれに前記画像信号を供給する期間において、前記複数の選択回路のそれぞれは、前記画像信号の信号電圧の範囲の中央値に応じて前記画素群を順番に選択することを特徴とする請求項４に記載の表示装置。
【請求項６】
前記複数の選択回路のそれぞれは、前記画像信号の信号電圧の大きさに応じた順番で前記複数の画素のそれぞれに前記画像信号が書き込まれるように、前記複数の信号線のうち前記画像信号を供給する信号線を選択し、
前記複数の信号線は、第１の信号線および前記第１の信号線の次に前記画像信号が供給される第２の信号線と、第３の信号線および前記第３の信号線の次に前記画像信号が供給される第４の信号線と、を含み
前記第１の信号線に供給される前記画像信号の信号電圧と前記第２の信号線に供給される前記画像信号の信号電圧との差が、前記第３の信号線に供給される前記画像信号の信号電圧と前記第４の信号線に供給される前記画像信号の信号電圧との差よりも大きく、
前記第２の信号線が選択され前記画像信号が供給される時間が、前記第４の信号線が選択され前記画像信号が供給される時間よりも長いことを特徴とする請求項１または２に記載の表示装置。
【請求項７】
前記複数の選択回路のそれぞれは、前記複数の画素のうち前記行方向に並ぶ第１の行に配された画素と前記第１の行とは異なる第２の行に配された画素とのそれぞれに前記画像信号を供給する際に、前記第１の行と前記第２の行との間で前記複数の信号線のうち前記画像信号を供給する信号線を異なる順番で選択することを特徴とする請求項３乃至６の何れか１項に記載の表示装置。
【請求項８】
前記複数の選択回路のそれぞれは、前記第１の行の次に前記第２の行に前記画像信号を供給し、
前記複数の画素のうち前記第１の行で最後に前記画像信号が書き込まれる画素の発光色と、前記複数の画素のうち前記第２の行で最初に前記画像信号が書き込まれる画素の発光色と、が同じ発光色となるように、前記複数の信号線のうち前記画像信号が供給される信号線を選択することを特徴とする請求項７に記載の表示装置。
【請求項９】
前記複数の選択回路のそれぞれは、前記第１の行と前記第２の行とで、前記複数の信号線のうち前記画像信号を供給する信号線を逆の順番で選択することを特徴とする請求項７または８に記載の表示装置。
【請求項１０】
前記複数の画素は、前記行方向に並ぶ第３の行に配された画素と前記第３の行とは異なる第４の行に配された画素とを含み、
前記第３の行に配された画素に前記画像信号を供給するために前記複数の信号線のうち第１の列の信号線が選択される時間と、前記第４の行に配された画素に前記画像信号を供給するために前記複数の信号線のうち第１の列の信号線が選択される時間と、が、互いに異なることを特徴とする請求項１乃至９の何れか１項に記載の表示装置。
【請求項１１】
前記複数の選択回路のそれぞれは、信号生成部を含み、
前記信号生成部は、前記複数の画素のうち１つの行に配された画素のそれぞれに前記画像信号が書き込まれるように前記複数の信号線のそれぞれを選択し前記画像信号を供給した後、次の行に配された画素のそれぞれに前記画像信号が書き込まれるように前記複数の信号線のそれぞれを選択し前記画像信号を供給するまでの間、前記画像信号の信号電圧の最大値と最小値との間の信号電圧の信号を生成することを特徴とする請求項１乃至１０の何れか１項に記載の表示装置。
【請求項１２】
前記複数の選択回路のそれぞれは、信号生成部を含み、
前記信号生成部は、前記複数の画素のうち１つの行に配された画素のそれぞれに前記画像信号が書き込まれるように前記複数の信号線のそれぞれを選択し前記画像信号を供給した後、次の行に配された画素のそれぞれに前記画像信号が書き込まれるように前記複数の信号線のそれぞれを選択し前記画像信号を供給するまでの間、前記次の行に配された画素のうち最初に前記画像信号が書き込まれる画素の前記画像信号の信号電圧の信号を生成することを特徴とする請求項１乃至１０の何れか１項に記載の表示装置。
【請求項１３】
前記複数の画素のうち１つの行に配された画素に前記画像信号を供給する期間において、前記複数の信号線のうち最初に選択される信号線が選択される時間が、前記複数の信号線のうち２番目に選択される信号線が選択される時間よりも長いことを特徴とする請求項１乃至１２の何れか１項に記載の表示装置。
【発明の詳細な説明】
【技術分野】
【０００１】
本発明は、表示装置に関する。
【背景技術】
【０００２】
発光する有機材料がもたらす有機エレクトロルミネセンス（ＥＬ）を発光層として利用した発光素子を備える表示装置が注目されている。特許文献１には、有機ＥＬを用いた表示装置において、１入力−Ｎ出力型の選択回路を設け、複数の信号線を選択回路ごとのブロックに分け、各ブロック内で出力先を切替えながら画素に信号を供給する構成が示されている。このような選択回路を用いると、駆動回路からすべての信号線に信号を供給する場合と比較して、駆動回路の出力数および出力回路を削減できる。
【先行技術文献】
【特許文献】
【０００３】
【特許文献１】特開２０１２−２５５８７３号公報
【発明の概要】
【発明が解決しようとする課題】
【０００４】
選択回路によって信号線を切替えながら画像信号を供給する際、続けて選択される信号線に供給する画像信号の信号電圧の差が大きい場合など、画像信号が所望の信号電圧に遷移するまでの時間を確保できない場合がある。画像信号が所望の信号電圧まで遷移する時間を確保できない場合、信号線に正確な画像信号が供給できず、表示される画像の画質が低下しうる。また、信号線に確実に画像信号を供給するために、信号線に画像信号を供給するセットアップ時間を長くした場合、表示装置の画像を表示するフレームレートが低下しうる。
【０００５】
本発明は、表示装置において画像の表示に有利な技術を提供することを目的とする。
【課題を解決するための手段】
【０００６】
上記課題に鑑みて、本発明の実施形態に係る表示装置は、１つの選択回路に１つの表示ブロックが対応するように複数の選択回路と複数の表示ブロックとが配される表示装置であって、複数の表示ブロックのそれぞれは、列方向に延在する複数の信号線と、複数の信号線の何れかにそれぞれ接続され、列方向および列方向と交差する行方向に行列状に配された複数の画素と、を含み、複数の選択回路のそれぞれは、複数の画素のうち行方向に並ぶ画素ごとに画像信号が書き込まれるように、複数の信号線のうち画像信号を供給する信号線を所定の順番で選択し、複数の信号線のうち少なくとも１つの信号線を選択し画像信号を供給する時間が、複数の信号線のうち少なくとも１つの信号線以外の信号線を選択し画像信号を供給する時間と異なることを特徴とする。
【発明の効果】
【０００７】
本発明によれば、表示装置において画像の表示に有利な技術を提供することができる。
【図面の簡単な説明】
【０００８】
【図１】本発明の実施形態に係る表示装置の構成例を示す図。
【図２】図１の表示装置の画素の等価回路図。
【図３】図１の表示装置の水平駆動回路の構成例を示す図。
【図４】比較例の表示装置の駆動タイミング図。
【図５】図１の表示装置の駆動タイミング図。
【図６】図１の表示装置の駆動タイミング図。
【図７】図１の表示装置の駆動タイミング図。
【図８】図１の表示装置の駆動タイミング図。
【図９】図１の表示装置の駆動タイミング図。
【図１０】図１の表示装置の駆動タイミング図。
【発明を実施するための形態】
【０００９】
以下、本発明に係る表示装置の具体的な実施形態を、添付図面を参照して説明する。なお、以下の説明および図面において、複数の図面に渡って共通の構成については共通の符号を付している。そのため、複数の図面を相互に参照して共通する構成を説明し、共通の符号を付した構成については適宜説明を省略する。
【００１０】
図１〜１０を参照して、本発明の実施形態による表示装置の構成およびその駆動方法について説明する。図１は、本発明の実施形態における表示装置１００の構成例を示す全体概念図である。この表示装置１００は、発光する有機材料がもたらす有機エレクトロルミネセンス（ＥＬ）を発光層として利用した有機発光素子を備える有機発光ディスプレイとして用いられるものである。
【００１１】
表示装置１００は、表示領域１０１、水平駆動回路１０２、垂直駆動回路１０３、および、タイミング生成部１０４を含む。表示領域１０１には、赤（Ｒ）、緑（Ｇ）、青（Ｂ）の３色のそれぞれ発光色が異なる画素（サブ画素とも呼ばれうる。）が行列上に配され、３色の画素を合わせて画像における１つの画素の色と輝度を表現している。それぞれの画素は、赤（Ｒ）、緑（Ｇ）、または、青（Ｂ）の各色を発光するように、有機発光素子が配され、１つ１つの有機発光素子ごとに、有機発光素子を駆動する駆動回路が配される。それぞれの画素において、有機発光素子が赤（Ｒ）、緑（Ｇ）、青（Ｂ）の各色を直接発光してもよいし、白色発光する有機発光素子と各色のカラーフィルタとの組み合わせで各色が表示されてもよい。本実施形態において、赤（Ｒ）、緑（Ｇ）、または、青（Ｂ）の画素が配される例を述べるが、これに限られることはない。例えば、単色のみを表示する表示装置の場合、１つの色の有機発光素子を含む画素が、画像における１つの画素を構成していてもよい。水平駆動回路１０２は、それぞれの画素に輝度情報などの映像データの信号を出力する回路である。垂直駆動回路１０３は、それぞれの画素の駆動回路を制御するための信号を出力する回路である。タイミング生成部１０４は、駆動タイミングなどを制御する回路であり、配線（不図示）などを介して、水平駆動回路１０２および垂直駆動回路１０３と接続されている。
【００１２】
次に、本実施形態の表示装置１００に用いられる画素について説明する。上述したように、赤（Ｒ）、緑（Ｇ）、青（Ｂ）の各色の発光を行うための画素が配されるが、説明のため、図２の画素１１０には、３色のうち１つの色の有機発光素子１１１に対する駆動回路が示される。図２に示される構成において、画素１１０は、発光素子に流れる電流に応じて発光輝度が変化する電流駆動型の有機発光素子１１１と、有機発光素子１１１を駆動する駆動回路と、を含む。有機発光素子１１１は、表示領域１０１に配されるすべての画素の有機発光素子に対して共通に配された共通電源１２５にカソード電極が接続される。
【００１３】
有機発光素子１１１を駆動するための駆動回路は、駆動トランジスタ１１２、選択トランジスタ１１３、スイッチングトランジスタ１１４、１１５、および、容量素子１１６、１１７を含む。本実施形態において、駆動トランジスタ１１２、選択トランジスタ１１３、スイッチングトランジスタ１１４、１１５には、それぞれｐチャネル型のトランジスタ（ＰＭＯＳトランジスタ）が用いられる。
【００１４】
駆動トランジスタ１１２は、有機発光素子１１１のアノード電極に直列に接続されることによって、有機発光素子１１１に対して駆動電流を供給する。具体的には、駆動トランジスタ１１２のドレイン電極が、有機発光素子１１１のアノード電極に接続されている。
【００１５】
選択トランジスタ１１３は、ゲート電極が走査線１２１に接続され、ソース電極が信号線１２４に接続され、ドレイン電極が駆動トランジスタ１１２のゲート電極に接続されている。選択トランジスタ１１３のゲート電極には、垂直駆動回路１０３から走査線１２１を介して信号が印加される。
【００１６】
スイッチングトランジスタ１１４は、ゲート電極が走査線１２２に接続され、ソース電極が電源電位ＶＤＤに接続され、ドレイン電極が駆動トランジスタ１１２のソース電極に接続されている。スイッチングトランジスタ１１４のゲート電極には、垂直駆動回路１０３から走査線１２２を介して有機発光素子１１１の発光を制御するための信号が印加される。スイッチングトランジスタ１１５は、ゲート電極が走査線１２３に接続され、ソース電極が電源電位ＶＳＳに接続され、ドレイン電極が有機発光素子１１１のアノード電極に接続されている。スイッチングトランジスタ１１５のゲート電極には、垂直駆動回路１０３から走査線１２３を通して有機発光素子１１１のアノード電極の電位を制御するための信号が印加される。
【００１７】
容量素子１１６は、駆動トランジスタ１１２のゲート電極とソース電極との間に接続されている。容量素子１１７は、駆動トランジスタ１１２のソース電極と第一電源電位ＶＤＤとの間に接続されている。
【００１８】
図２に示す構成において、それぞれのトランジスタにはＰＭＯＳトランジスタが用いられるが、これに限られることはなく、ｎチャネル型のトランジスタ（ＮＭＯＳトランジスタ）を用いた構成であってもよい。また、駆動回路は、４つのトランジスタと２つの容量素子を含むいわゆる４Ｔｒ２Ｃ型の回路構成に限られるものではない。また、トランジスタは、シリコンウェーハ上に形成したトランジスタを用いてもよいし、ガラス基板上に堆積した半導体膜に形成した薄膜トランジスタを用いてもよい。
【００１９】
画素１１０において、選択トランジスタ１１３は、垂直駆動回路１０３から走査線１２１を通してゲート電極に印加される書き込み信号に応答して導通状態になる。この動作によって輝度情報に応じた画像信号または基準電圧を、信号線１２４からサンプリングする。信号線１２４から基準電圧をサンプリングすることによって、各画素の駆動トランジスタ１１２の閾値電圧ばらつきを補正し、閾値電圧ばらつきによる各画素の輝度ばらつきを低減することができる。画像信号または基準電圧は、駆動トランジスタ１１２のゲート電極に印加されるとともに容量素子１１６に保持される。
【００２０】
駆動トランジスタ１１２は電源電位ＶＤＤからスイッチングトランジスタ１１４を介して電流の供給を受けて有機発光素子１１１を電流駆動にて発光させる。この際、容量素子１１６に保持された電圧に応じて有機発光素子１１１に流れる電流量が決まるため、有機発光素子１１１の発光量を制御することができる。スイッチングトランジスタ１１４は、垂直駆動回路１０３から走査線１２２を通して発光を制御するための信号がゲート電極に印加されることによって導通状態になる。すなわち、スイッチングトランジスタ１１４は、有機発光素子１１１の発光、非発光を制御する機能を有している。
【００２１】
スイッチングトランジスタ１１５は、垂直駆動回路１０３から走査線１２３を通して有機発光素子１１１のアノード電極の電位を制御するための信号がゲート電極に印加されることによって、アノード電極に電源電位ＶＳＳを選択的に供給する。
【００２２】
次に、図３（ａ）、３（ｂ）を用いてそれぞれの画素１１０へ輝度情報である画像信号を供給する信号線１２４へ伝達する構成を説明する。本実施形態において、図３（ａ）に示すように、信号線１２４と画素１１０とを、複数の表示ブロック１２６に分けて制御する。複数の表示ブロック１２６のそれぞれは、列方向に延在する複数の信号線１２４と、複数の信号線１２４の何れかにそれぞれ接続され、列方向および列方向と交差する行方向に行列状に配された複数の画素１１０を含む。それぞれの画素１１０には、信号線１２４を介して画像信号が書き込まれる。図３（ａ）において、信号線１２４の延在する方向を列方向、列方向と交差する方向を行方向と呼ぶ。また、表示装置１００の水平駆動回路１０２と表示ブロック１２６との間には、画像信号を供給する信号線１２４を選択するための複数の選択回路２００が配される。１つの選択回路２００に１つの表示ブロック１２６が対応するように複数の選択回路２００と複数の表示ブロック１２６とが配される。選択回路２００は、図３（ｂ）に示されるように、複数のスイッチＳＷを含む切替部２０３、信号出力バッファ２０１、信号生成部２０２を含む。
【００２３】
１つの選択回路２００から出力される信号線１２４の数をＭ［本］、選択回路２００の数をＮ［個］とした場合、信号線１２４の総数はＭ×Ｎ［本］となる。図３（ａ）、３（ｂ）に示す構成において、複数の表示ブロック１２６のそれぞれの表示ブロック１２６において、含まれる信号線１２４の数がそれぞれ同じ９本ずつとなっている例を示している。このため、１つの選択回路２００に対して、９本の信号線１２４を切替えて画像信号を出力可能とするために、１つの選択回路２００内には、図３（ｂ）に示すように、切替部２０３に信号線１２４を選択するためのスイッチＳＷが９個設けられる。また、図３（ａ）、３（ｂ）に示す構成の場合、１つの表示ブロック１２６に配される複数の画素１１０のうち行方向に並ぶそれぞれの画素１１０に対して画像信号を供給する１つの水平走査期間内に、スイッチＳＷを用いて９回の画像信号の書き込み動作を行う。
【００２４】
ここで、図４を用いて本実施形態における課題を説明する。図４は、選択回路２００を用いた駆動方法の比較例を示すタイミング図である。１つの水平走査期間において、複数の画素１１０のうち１行に配される９つの画素１１０に画像信号が供給される。図４の「Ｖｄａｔａ」は、信号線１２４に供給される画像信号の信号電圧を示し、「ＳＷ１」〜「ＳＷ９」は、９本の信号線１２４をそれぞれ選択し、画像信号を供給するためのスイッチＳＷの動作状況を示す。ここで、１つの水平走査期間とは、ある行（ｎ行）において、最初に何れかの信号線１２４に信号電圧を供給する動作が開始されてから、次の行（ｎ＋１行）において、最初に何れかの信号線１２４に信号電圧を供給する動作が開始されるまでの期間でありうる。
【００２５】
図４に示す駆動方法において、信号線１２４を選択するためのスイッチＳＷ１〜ＳＷ９が、順次オン状態となり、対応する信号線１２４が選択される。これによって、対応する信号線１２４に画像信号の信号電圧が、順次供給される。選択回路２００は、１つの水平走査期間において、スイッチＳＷ１〜ＳＷ９を１回ずつオン状態にし、１回ずつそれぞれの信号線を選択し画像信号を供給する。
【００２６】
信号生成部２０２で生成され、信号出力バッファ２０１およびスイッチＳＷを介して信号線１２４に供給される画像信号の信号電圧は、信号線１２４などの寄生抵抗や寄生容量に起因する時定数に応じた時間をかけて整定する。このため、スイッチＳＷ１〜ＳＷ９がオン状態になってから信号電圧が所望の画像信号の電圧に整定するためには、それぞれのスイッチＳＷがオン状態になる前の信号電圧と、供給する所望の信号電圧と、の電圧差が大きいほど、長いセットアップ時間が必要となる。
【００２７】
ここで、図４に示される比較例の駆動方法、および、図５〜１０に示される本実施形態における駆動方法において、複数の画素１１０のうち、スイッチＳＷ１は画素Ｒ１（赤）、スイッチＳＷ２は画素Ｇ１（緑）、スイッチＳＷ３は画素Ｂ１（青）、スイッチＳＷ４は画素Ｒ２（赤）、スイッチＳＷ５は画素Ｇ２（緑）、スイッチＳＷ６は画素Ｂ２（青）、スイッチＳＷ７は画素Ｒ３（赤）、スイッチＳＷ８は画素Ｇ３（緑）、スイッチＳＷ９は画素Ｂ３（青）がそれぞれ接続されている信号線１２４を選択するとして説明する。また、それぞれの信号線１２４を介して画素１１０に書き込まれる所望の画像信号の信号電圧は、画素Ｒ１は信号電圧Ｖｒ１、画素Ｇ１は信号電圧Ｖｇ１、画素Ｂ１は信号電圧Ｖｂ１、画素Ｒ２は信号電圧Ｖｒ２、画素Ｇ２は信号電圧Ｖｇ２、画素Ｂ２は信号電圧Ｖｂ２、画素Ｒ３は信号電圧Ｖｒ３、画素Ｇ３は信号電圧Ｖｇ３、画素Ｂ３は信号電圧Ｖｂ３とする。また、表示装置１００に表示される画像は１画素単位で色や輝度の変化が必要な、細かいチェック模様や縞模様などの空間周波数の高い画像ではなく、風景画像など色や輝度の変化が複数画素をまたいで徐々に変化する画像の例である。そのため、隣接する画素１１０同士は同じ発光色の場合、ほとんど画像信号の信号電圧に差はない。一方、隣接する画素１１０同士が異なる発光色の場合、表示する色に応じて３つの発光色のそれぞれの画素１１０の輝度比に応じて画像信号の信号電圧に差が発生する。
【００２８】
図４の比較例の駆動方法においては、スイッチＳＷ１、スイッチＳＷ２、・・・、スイッチＳＷ９の順番にオン動作し、画像信号が供給される信号線１２４が選択される。このため、接続先の画素１１０の発光色に着目すると、赤、緑、青、赤、緑、青、赤、緑、青の順番に画像信号が供給されている。この順番で、それぞれの画素１１０（画素Ｒ１〜画素Ｂ３）に画像信号を書き込むと、１列目から９列目まで発光色が異なる画素１１０に連続して信号電圧を書き込むことになる。このため、連続して画像信号が供給される２つの列の間で、画像信号の信号電圧の差が大きくなる場合がある。画像信号の信号電圧の差が大きい場合、画像信号が所望の信号電圧になるまでの時間が長くなり、スイッチＳＷがオン状態となる時間内に所望の信号電圧まで到達せず、スイッチＳＷがオフ状態になってしまう場合がある。図４に示す構成の場合、画素Ｇ１に供給する画像信号の信号電圧Ｖｇ１と画素Ｇ１の次に画像信号が供給される画素Ｂ１の画像信号の信号電圧Ｖｂ１の差が大きくなっている。画素Ｇ１が接続された信号線１２４に画像信号を供給した後、画素Ｂ１が接続された信号線１２４を選択するスイッチＳＷ３がオン状態となり画像信号が供給される。しかしながら、スイッチＳＷ３がオフ状態となった時点で、信号電圧Ｖｇ１と信号電圧Ｖｂ１との信号電圧の差が大きいため、まだ画素Ｂ１が接続された信号線１２４の画像信号の信号電圧は、所望の信号電圧Ｖｂ１までの遷移が完了していない。同様に、画素Ｒ１、Ｇ２、Ｇ３が接続された信号線１２４において、画像信号の供給が間に合わず、所望の画像信号の信号電圧Ｖｒ１、Ｖｇ２、Ｖｇ３まで遷移ができていないことがわかる。
【００２９】
これに対して、図５に、本実施形態の表示装置１００の駆動タイミング図を示す。図４に示す比較例の駆動方法との違いは、スイッチＳＷ１〜ＳＷ９がオン動作し信号線１２４を選択する順番、および、それぞれの信号線１２４が選択され画像信号が供給される時間が異なる。本実施形態において、選択回路２００は、複数の画素１１０のうち行方向に並ぶ画素１１０ごとに画像信号が書き込まれるように、複数の信号線１２４のうち画像信号を供給する信号線１２４を所定の順番で選択する。このとき、選択回路２００は、複数の信号線１２４のうち少なくとも１つの信号線１２４を選択し画像信号を供給する時間が、複数の信号線１２４のうち当該少なくとも１つの信号線以外の信号線を選択し画像信号を供給する時間と異なるように動作する。具体的には、上述したように、隣接する画素１１０において、発光色が異なる場合は画像信号の信号電圧の差が大きく、発光色が同色であれば画像信号の信号電圧の差が小さい。このため、図５に示す本実施形態の駆動方法では、同じ発光色の画素１１０に連続して順番に画像信号が供給されるように、画素Ｒ１、Ｒ２、Ｒ３、Ｇ１、Ｇ２、Ｇ３、Ｂ１、Ｂ２、Ｂ３の順番でそれぞれの画素１１０が接続された信号線１２４が選択される。このように、異なる発光色に切り替わる回数を最小現に抑えることで、それぞれの信号線１２４に供給される画像信号の信号電圧が遷移する時間が不足する回数を減らすことができる。しかしながら、それだけでは、直前に異なる発光色の画素１１０が接続された信号線１２４に画像信号を供給する画素Ｇ１や画素Ｂ１が接続された信号線１２４において、画像信号の信号電圧を所望の電圧まで遷移させる時間が不足してしまう可能性がある。そこで、本実施形態において、画像信号を供給するために信号線１２４を選択する時間の長さを変化させる。
【００３０】
具体的には、複数の信号線１２４は、複数の画素１１０のうち発光色が互いに異なる画素（例えば、画素Ｒ３および画素Ｇ１。）にそれぞれ接続された信号線１２４と、複数の画素１１０のうち発光色が同じ画素（例えば、画素Ｒ１および画素Ｒ１。）にそれぞれ接続された信号線１２４と、を含む。画素Ｒ３が接続された信号線１２４の次に画素Ｇ１が接続された信号線１２４が選択され画像信号が供給される場合において画素Ｇ１が接続された信号線１２４が選択される時間が、画素Ｒ１が接続された信号線１２４の次に画素Ｒ２が接続された信号線１２４が選択され画像信号が供給される場合において画素Ｒ２が接続された信号線１２４が選択される時間よりも長くなるように、選択回路２００は動作する。換言すると、複数の画素１１０は、同じ発光色の画素１１０ごとに画素群（画素Ｒ１、Ｒ２、Ｒ３を含む画素群、画素Ｇ１、Ｇ２、Ｇ３を含む画素群、画素Ｂ１、Ｂ２、Ｂ３を含む画素群）を構成する。そして、複数の画素１１０のうち１つの行に配された画素のそれぞれに画像信号を供給する期間（上述の１つの水平走査期間。）において、選択回路２００のそれぞれは、画素群ごとに、画素群に含まれる画素１１０のそれぞれに所定の順番（図５に示される駆動方法の場合、行方向に並ぶ順番。）で画像信号が書き込まれるように、複数の信号線１２４のうち画像信号を供給する信号線１２４を選択する。つまり、図５に示されるように、発光色が異なる切り替わりの先頭で書き込まれる画素Ｇ１や画素Ｂ１が接続された信号線１２４に画像信号を供給する際、信号線１２４が選択され画像信号が供給される時間を長くする。一方、同じ発光色の画素１１０に接続された信号線１２４の切り替わりでは、信号線１２４が選択され画像信号が供給される時間を短くする。このように、選択回路２００の切替部２０３は、複数の信号線１２４のうち画像信号を供給する信号線１２４が選択される順番、具体的には選択される信号線１２４に接続された画素１１０の発光色の変化に応じて、画像信号を供給する信号線を選択している時間を変化させる。これによって、より正確な画像信号の供給およびそれぞれの画素１１０への書き込みが実現できる。
【００３１】
また、図５に示されるように、複数の画素１１０のうち１つの行に配された画素１１０に画像信号を供給する１水平走査の期間において、複数の信号線１２４のうち最初に選択される信号線１２４（画素Ｒ１が接続された信号線１２４。）が選択される時間が、複数の信号線１２４のうち２番目に選択される信号線１２４（画素Ｒ２が接続された信号線１２４。）が選択される時間よりも長くてもよい。つまり、図５に示す構成において、選択回路２００は、１列目の画素Ｒ１が接続された信号線１２４に画像信号を供給する時間を長くする。これは、信号生成部２０２のリセット時に保持される信号電圧であるリセット電圧Ｖｒｅｓと１列目の信号電圧Ｖｒ１との電圧の差が、隣接する同じ発光色の画素１１０同士の信号電圧の電圧差より大きい場合を考慮しているためである。
【００３２】
図５に示される駆動方法を用いることによって、画像信号を供給する際の信号線１２４が選択されている時間の不足に起因する画像信号の信号電圧の誤差を抑制し、表示装置１００において、より正確な輝度でそれぞれの画素１１０を発光させることができる。また、同じ発光色の画素１１０に連続して画像信号を供給する際に切替部２０３が対応する信号線１２４を選択している時間は、異なる発光色の画素１１０に連続して画像信号を供給する場合よりも短くする。これによって、画像を表示する際のフレームレートの低下を抑制できる。
【００３３】
図６は、本実施形態の図５に示す駆動方法の変形例の駆動タイミング図である。図６には、任意のｎ行目とｎ行目の次に走査が行われるｎ＋１行目との２行分の水平走査期間における画像信号の供給動作が示されている。図５に示される駆動方法との違いは、画像信号の信号電圧のリセット電圧Ｖｒｅｓが、画像信号の信号電圧の最大値と最小値の中間の電位となっていることである。つまり、信号生成部２０２は、ｎ行に配された画素１１０のそれぞれに画像信号を供給した後、ｎ＋１行に配された画素１１０のそれぞれに画像信号を供給するまでの間、画像信号の信号電圧の最大値と最小値との間の信号電圧の信号を生成する。このように駆動することで、それぞれの水平走査期間において、最初に信号線１２４に画像信号を供給する際の画像信号の信号電圧の遷移にかかる時間を、平均的に短くすることができる。このため、それぞれの行において、最初に画素１１０に画像信号を書き込む際、より正確な画像信号の信号電圧を信号線１２４に供給することができる。結果として、より正確な画像信号を画素１１０に書き込むことが可能となり、画素１１０の輝度の誤差を低減することができる。
【００３４】
図７は、本実施形態の図６に示す駆動方法の変形例の駆動タイミング図である。図６に示す駆動方法との違いは、１列目の画像信号を供給するためのスイッチＳＷ１がオン動作する期間より前に、予め信号生成部２０２が１列目の画像信号を出力していることである。つまり、信号生成部２０２は、ｎ行に配された画素１１０のそれぞれに画像信号を供給した後、ｎ＋１行に配された画素１１０のそれぞれに画像信号を供給するまでの間、次の行（ｎ＋１行）に配された画素１１０のうち最初に画像信号が書き込まれる画素１１０の画像信号の信号電圧の信号を生成する。このように駆動することによって、１列目の信号線１２４に画像信号を供給する際の画像信号の信号電圧の遷移にかかる時間を最小化できる。このため、それぞれの行において、１列目の画素１１０に画像信号を書き込む際に、さらに正確な画像信号の信号電圧を信号線１２４に供給することが可能となり、画素１１０の輝度の誤差を低減することができる。
【００３５】
図８は、本実施形態の図７に示す駆動方法の変形例の駆動タイミング図である。図７に示す駆動方法との違いは、それぞれの水平走査期間における画素群ごとに信号線１２４を選択する順番である。図７の駆動方法では、画素Ｒ１、Ｒ２、Ｒ３が含まれる画素群、画素Ｇ１、Ｇ２、Ｇ３が含まれる画素群、画素Ｂ１、Ｂ２、Ｂ３が含まれる画素群の順番で信号線１２４が選択された。一方、図８に示される駆動方法では、画素Ｒ１、Ｒ２、Ｒ３が含まれる画素群、画素Ｂ１、Ｂ２、Ｂ３が含まれる画素群、画素Ｇ１、Ｇ２、Ｇ３が含まれる画素群の順番で信号線１２４が選択され画像信号が供給される。
【００３６】
表示装置１００において、発光色によって画像信号の信号電圧の範囲が異なる場合がある。例えば、有機ＥＬを用いた発光素子のそれぞれの発光色における駆動電流に対する発光輝度の効率の差がある場合などである。本実施形態において、各色の画素信号の信号電圧の範囲は、３色とも最大電圧は同じである。一方、各色の画素信号の信号電圧の最小電圧が赤（画素Ｒ１、Ｒ２、Ｒ３が含まれる画素群）＜青（画素Ｂ１、Ｂ２、Ｂ３が含まれる画素群）＜緑（画素Ｇ１、Ｇ２、Ｇ３が含まれる画素群）という関係である。このため、各色の信号電圧の範囲における中央値は赤＜青＜緑の順番である。同じ発光色の画素群ごとに順番に信号電圧を供給する場合、画像信号の信号電圧の範囲の中央値の差が小さくなるように順番に供給する方が、平均的に画素群ごとの画素信号の信号電圧の差が小さくなりうる。このため、画像信号を供給する時間が同じであると仮定した場合、図７と比較して図８の駆動方法は画素群間での信号電圧の差が小さくなりうるため、より正確な画像信号を供給できる場合が多くなる。図７に示される駆動方法では、赤、緑、青の順番で画素群に画像信号が供給されるため、画像信号の信号電圧の範囲の中央値の大小関係は、小、大、中の順番である。したがって、赤の発光色の画素群から緑の発光色の画素群に画像信号を供給する信号線１２４が変わるタイミングにおいて、画像電圧の信号電圧の差が大きくなってしまうことが考えられる。そこで、図８に示す駆動方法では、画像信号を供給する信号線を、赤の画素群、青の画素群、緑の画素群の順番にすることによって、画像信号の信号電圧の範囲の中央値の大小関係を小、中、大の順番にすることができる。このため、発光色の異なる画素群に画像信号を供給する際、画像信号の信号電圧の差は小さくなり、同じ時間での信号線１２４への画像信号の供給において、より正確な画像信号の信号電圧を信号線１２４に供給することが可能となる。これによって、所望の輝度に対する画素１１０の輝度の誤差を低減することができる。
【００３７】
図８に示される駆動方法では、画像信号の信号電圧の範囲の中央値の大小関係が小、中、大の順番となるように画像信号を供給する画素群を順番に選択したが、大、中、小となるようにしてもよい。選択回路２００は、画像信号の信号電圧の範囲の中央値の大小関係に応じて、適宜、順番に画素群を選択すればよい。また、上述の説明では、画像信号の信号電圧の範囲の中央値が赤、青、緑の順番であるとしたが、各色の発光効率などによっての信号電圧の範囲の中央値の大小関係が変わる場合、適宜、画像信号を供給する画素群の順番を変更してもよい。
【００３８】
図９は、本実施形態の図８に示す駆動方法の変形例の駆動タイミング図である。図８に示す駆動方法との違いは、ｎ行目とｎ＋１行目との間で複数の信号線１２４のうち画像信号を供給する信号線１２４を異なる順番で選択することである。図９に示される駆動方法では、選択回路２００は、ｎ行とｎ行の次に画像信号を供給するｎ＋１行とで、複数の信号線１２４のうち画像信号を供給する信号線１２４を逆の順番で選択する。つまり、ｎ行目では、画素Ｒ１、Ｒ２、Ｒ３、Ｂ１、Ｂ２、Ｂ３、Ｇ１、Ｇ２、Ｇ３が接続された信号線１２４に順番に画像信号が供給される。一方、ｎ＋１行目では、画素Ｇ３、Ｇ２、Ｇ１、Ｂ３、Ｂ２、Ｂ１、Ｒ３、Ｒ２、Ｒ１が接続された信号線１２４に順番に画像信号が供給される。このように、ｎ行で最後に画像信号が書き込まれる画素の発光色と、ｎ＋１行で最初に画像信号が書き込まれる画素の発光色と、が同じ発光色となるように、選択回路２００は、画像信号が供給される信号線１２４を選択する。この駆動によって、ｎ行目の最後に画像信号が供給される列と、ｎ＋１行目の最初に画像信号が供給される列は行方向で隣接する同じ発光色の画素１１０になり、より１列目を書き込む際の画像信号の信号電圧の差が小さくできる。図９では、ｎ行とｎ行の次に画像信号が供給されるｎ＋１行とで逆順で画像信号が供給されるように、選択回路２００が信号線１２４を選択したが、これに限られることはない。例えば、ｎ行目では、画素Ｒ１、Ｒ２、Ｒ３、Ｂ１、Ｂ２、Ｂ３、Ｇ１、Ｇ２、Ｇ３が接続された信号線１２４に順番に画像信号が供給される。一方、ｎ＋１行目では、画素Ｇ１、Ｇ２、Ｇ３、Ｂ１、Ｂ２、Ｂ３、Ｒ１、Ｒ２、Ｒ３が接続された信号線１２４に順番に画像信号が供給されてもよい。
【００３９】
図１０は、本実施形態の上述の各駆動方法とはまた異なる表示装置１００の駆動タイミング図である。上述の図５〜９に示される駆動方法において、選択回路２００は、同じ発光色の画素群ごとに順番で画像信号をそれぞれの信号線１２４に供給した。一方、図１０に示される駆動方法では、選択回路２００は、画像信号の信号電圧の大きさに応じた順番で複数の画素１１０のそれぞれに画像信号が書き込まれるように、複数の信号線１２４のうち画像信号を供給する信号線１２４を選択する。つまり、連続して供給される画像信号の信号電圧の差が小さくなるように、選択回路２００が、画像信号を供給する信号線１２４を選択する。また、図１０に示されるように、１行の水平期間の列間だけでなく、ｎ行目の最後に画像信号を供給する列と次のｎ＋１行の最初に画像信号を供給する列との信号電圧の差が最小となる順番で画像信号を供給してもよい。
【００４０】
さらに、選択回路２００の切替部２０３が、複数の信号線１２４のうち連続して選択される信号線１２４に供給される画像信号の信号電圧の変化に応じて、画像信号を供給する信号線１２４を選択している時間を変化させてもよい。例えば、図１０において、画素Ｇ２が接続された信号線および画素Ｇ２の次に画像信号が供給される画素Ｒ３が接続された信号線と、画素Ｇ３が接続された信号線および画素Ｇ３の次に画像信号が供給される画素Ｂ３が接続された信号線を考える。このとき、画素Ｇ２が接続された信号線に供給される画像信号の信号電圧と画素Ｒ３が接続された信号線に供給される画像信号の信号電圧との差が、画素Ｇ３が接続された信号線に供給される画像信号の信号電圧と画素Ｂ３が接続された信号線に供給される画像信号の信号電圧との差よりも大きい。この場合、画素Ｒ３が接続された信号線が選択され画像信号が供給される時間が、画素Ｂ３が接続された信号線が選択され画像信号が供給される時間よりも長くなってもよい。
【００４１】
このように、予めそれぞれの信号線１２４に供給する所望の画像信号の信号電圧の関係を選択回路２００の駆動にフィードバックできる場合、選択回路２００が、それぞれの信号線１２４に画像信号を供給する時間を調整する。これによって、それぞれの画素１１０の発光輝度の誤差を抑制することが可能となり、またフレームレートの低下も抑制できる。
【００４２】
また、画像信号を供給する時間の調整は、同じ行における列間に限られるものではない。例えば、互いに異なる行の同じ列の信号線１２４が選択される時間が、互いに異なっていてもよい。つまり、ｎ行の第１列とｎ＋１行の第１列とで、信号線１２４が選択される時間が互いに異なっていてもよい。また、列間や行間だけでなく、１つの画像を供給するためのフレーム期間を考えた場合、互いに異なるフレーム期間において、それぞれの画素１１０で画像信号が供給される順番や時間が異なっていてもよい。つまり、ｎフレーム目において、ｎ行目は、画素Ｒ１、Ｒ２、Ｂ１、Ｂ２、Ｇ１、Ｇ２、Ｒ３、Ｇ３、Ｂ３の順番でそれぞれの画素１１０に接続された信号線１２４が、画像信号の供給を受ける。次のｎ＋１フレームにおいて、ｎ行目は、画素Ｒ１、Ｇ１、Ｂ１、Ｒ２、Ｒ３、Ｇ２、Ｇ３、Ｂ２、Ｂ３の順番でそれぞれの画素１１０に接続された信号線１２４が、画像信号の供給を受けてもよい。
【００４３】
以上、本発明に係る実施形態および実施例を示したが、本発明はこれらの実施形態および実施例に限定されないことはいうまでもなく、本発明の要旨を逸脱しない範囲で、上述した実施形態は適宜変更、組み合わせが可能である。
【符号の説明】
【００４４】
１００：表示装置、１１０：画素、１２４：信号線、１２６：表示ブロック、２００：選択回路
【図１】
2019200363.tif 000003
【図２】
2019200363.tif 000004
【図３】
2019200363.tif 000005
【図４】
2019200363.tif 000006
【図５】
2019200363.tif 000007
【図６】
2019200363.tif 000008
【図７】
2019200363.tif 000009
【図８】
2019200363.tif 000010
【図９】
2019200363.tif 000011
【図１０】
2019200363.tif 000012